(57)【要約】【課題】光伝送システムの保守性を向上する。【解決手段】ＷＤＭ光伝送システム１０は、光伝送路により接続された複数のＷＤＭ装置１２Ａ〜１２Ｄを備え、インバンド通信により各ＷＤＭ装置を監視制御可能なＷＤＭ光伝送システムである。各ＷＤＭ装置１２Ａ〜１２Ｄは、光信号を送受信可能に構成され、回線に障害が発生した場合に警報を発出する複数の光インタフェース装置１２Ａ〜１２Ｄと、インバンド通信を行うよう設定された光インタフェース装置から発出された警報の検知をトリガとして、インバンド通信を行う回線をＷＤＭ装置内の他の光インタフェース装置に切り替える制御部１６Ａ〜１６Ｄとを備える。【選択図】図２
2012004628.tif 000002
【特許請求の範囲】
【請求項１】
光伝送路により接続された複数のＷＤＭ装置を備え、インバンド通信により各ＷＤＭ装置を監視制御可能な光伝送システムであって、
各ＷＤＭ装置は、
光信号を送受信可能に構成され、回線に障害が発生した場合に警報を発出する複数の光インタフェース装置と、
インバンド通信を行うよう設定された光インタフェース装置から発出された警報の検知をトリガとして、インバンド通信を行う回線をＷＤＭ装置内の他の光インタフェース装置に切り替える制御部と、
を備えることを特徴とする光伝送システム。
【請求項２】
前記制御部は、インバンド通信を行うよう設定された光インタフェース装置から１０ギガビットイーサネット（登録商標）のリンク障害通知機能によるローカルフォルトが生成および送出されたのをトリガとして、光インタフェース装置の切り替えを行うことを特徴とする請求項１に記載の光伝送システム。
【請求項３】
前記制御部は、インバンド通信を行うよう設定された光インタフェース装置からＬＯＳ警報、ＬＯＦ警報およびＳＦ警報のうち少なくとも１つの警報が発出されたのをトリガとして、光インタフェース装置の切り替えを行うことを特徴とする請求項１に記載の光伝送システム。
【請求項４】
各ＷＤＭ装置は、インバンド通信に加えてアウトバンド通信より監視制御可能に構成されており、
前記制御部は、光インタフェース装置の切り替えではインバンド通信を復旧できないことが検知された場合、インバンド/アウトバンドクラスの設定変更を行うことを特徴とする請求項１から３のいずれかに記載の光伝送システム。
【請求項５】
前記制御部は、光インタフェース装置の切り替えではインバンド通信を復旧できないことが検知された場合、アウトバンド通信でＷＤＭ装置を監視制御可能なクラスに設定変更を行うことを特徴とする請求項４に記載の光伝送システム。
【発明の詳細な説明】
【技術分野】
【０００１】
本発明は、光信号の伝送を行う光伝送システムに関し、特にインバンド回線を用いて遠隔監視制御が可能な光伝送システムに関する。
【背景技術】
【０００２】
近年、インターネットの急激な普及に伴い、一本の光ファイバに複数の波長の光信号を一括して伝送する波長分割多重（ＷＤＭ：Wavelength Division Multiplexing）光伝送システムの開発・導入が進んでいる。現在、一波長当たりの伝送速度は２．４Ｇｂｐｓから１０Ｇｂｐｓが主流であるが、さらに増え続ける情報伝送需要に対応するため、４０Ｇｂｐｓ等のより高速な伝送速度が採用され始めている（ＷＤＭ光伝送システムに関しては、例えば特許文献１参照）。
【０００３】
ＷＤＭ光伝送システムにおいては、複数のＷＤＭ装置を光ファイバで接続することでネットワークが構成される。各ＷＤＭ装置は、オペレーションセンターに設置された監視制御装置により遠隔監視・制御される。ＷＤＭ光伝送システムにおける遠隔監視制御には、アウトバンド方式とインバンド方式が存在する。アウトバンド方式は、監視制御信号を専用の伝送路を介して伝送する方式であり、インバンド方式は、主信号を伝送するＷＤＭ伝送路を介して伝送する方式である。ＷＤＭ光伝送システムにおいては、かかるアウトバンド方式とインバンド方式とが組み合わせて用いられる。
【０００４】
図１は、従来のＷＤＭ光伝送システムにおける遠隔監視制御の一例を説明するための図である。図１に示すＷＤＭ光伝送システム１００では、第１ＷＤＭ装置１０２Ａ、第２ＷＤＭ装置１０２Ｂ、第３ＷＤＭ装置１０２Ｃ、第４ＷＤＭ装置１０２Ｄの４つのＷＤＭ装置が４段タンデム接続されており、第１イーサネット網１０１Ａと第２イーサネット網１０１Ｂとの間で１０ギガビット・イーサネット（登録商標）と称される伝送速度１０Ｇｂｐｓの光通信ネットワークが構成されている。
【０００５】
図１に示すように、第１〜第４ＷＤＭ装置１０２Ａ〜１０２Ｄは、複数の１０Ｇｂｐｓ光インタフェース装置（１０Ｇ−ＩＦ）１０４Ａ〜１０４Ｄと、波長多重分割部１０５Ａ〜１０５Ｄと、制御部１０６Ａ〜１０６Ｄとを備える。
【０００６】
図１に示すように、第１イーサネット網１０１Ａと第１ＷＤＭ装置１０２Ａは、複数の光伝送路１０７Ａにより接続されている。光伝送路１０７Ａは、対向する第１イーサネット網１０１Ａの終端装置１０３Ａと光インタフェース装置１０４Ａとを接続している。第１ＷＤＭ装置１０２Ａと第２ＷＤＭ装置１０２Ｂは、波長多重光（以下、ＷＤＭ光とも称する）を伝送するＷＤＭ伝送路１０７Ｂにより接続されている。また、第２ＷＤＭ装置１０２Ｂと第３ＷＤＭ装置１０２Ｃは、複数の光伝送路１０７Ｃにより接続されている。光伝送路１０７Ｃは、対向する光インタフェース装置１０４Ｂと光インタフェース装置１０４Ｃとを接続している。なお、第２ＷＤＭ装置１０２Ｂの制御部１０６Ｂと第３ＷＤＭ装置１０２Ｃの制御部１０６Ｃは、アウトバンド回線により接続されている。また、第３ＷＤＭ装置１０２Ｃと第４ＷＤＭ装置１０２Ｄは、ＷＤＭ伝送路１０７Ｄにより接続されている。また、第４ＷＤＭ装置１０２Ｄと第２イーサネット網１０１Ｂは、複数の光伝送路１０７Ｅにより接続されている。光伝送路１０７Ｅは、対向する光インタフェース装置１０４Ｄと終端装置１０３Ｂとを接続している。
【０００７】
ＷＤＭ光伝送システム１００においては、各ＷＤＭ装置は、「クラス」と呼ばれるインバンド／アウトバンドの接続設定が規定されている。このクラスは、クラスＡ〜クラスＤまで存在する。クラスＡ〜Ｄの詳細を以下に示す。
クラスＡ：オペレーションセンターとアウトバンドで接続するインバンド／アウトバンドクラス設定。アウトバンドは開口。インバンドは１つの光インタフェース装置のみ開口。
クラスＢ：インバンド経由で制御され、アウトバンドでＷＤＭ装置を接続するインバンド/アウトバンドクラス設定。アウトバンドは開口。インバンドは１つの光インタフェース装置のみ開口。
クラスＣ：クラスＢからアウトバンド経由で制御されるインバンド/アウトバンドクラス設定。アウトバンドは開口。インバンドは１つの光インタフェース装置のみ開口。
クラスＤ：インバンド経由で制御され、アウトバンドに他のＷＤＭ装置を接続しないインバンド/アウトバンドクラス設定。アウトバンドは閉口。インバンドは全ての光インタフェースで開口。
実際の光通信ネットワークにおいては、図１に示したＷＤＭ装置以外にも多数のノードが存在するため、全ての装置においてインバンドとアウトバンドを開放してしまうと、信号のループなどが生じてしまうおそれがある。そこで、ネットワークにおけるＷＤＭ装置の位置に応じてインバンド／アウトバンドのクラス設定をし、通信可能な回線を制限することで、各ＷＤＭ装置を適切に監視制御することができるようになっている。
【０００８】
図１に示すように、第１ＷＤＭ装置１０２Ａは、クラスＡに設定されており、アウトバンドは開口され、インバンドは１つの光インタフェース装置１０４Ａのみ開口されている。また、第２ＷＤＭ装置１０２Ｂは、クラスＢに設定されており、アウトバンドは開口され、インバンドは１つの光インタフェース装置１０４Ｂのみ開口されている。また、第３ＷＤＭ装置１０２Ｃは、クラスＣに設定されており、アウトバンドは開口され、インバンドは１つの光インタフェース装置１０４Ｃのみ開口されている。また、第４ＷＤＭ装置１０２Ｄは、クラスＤに設定されており、アウトバンドは閉口され、全ての光インタフェース装置１０４Ｄでインバンドは開口されている。なお、対向するＷＤＭ装置のどの光インタフェース装置とインバンド通信を行うかは、クラス設定時に指定される。
【０００９】
図１には、オペレーションセンター１１０のＳＮＭＰ（Simple Network Management Protocol）マネージャ１１１から送信された監視制御信号の経路が、破線で図示されている。この監視制御信号は、アウトバンド回線とインバンド回線を経由して、各ＷＤＭ装置の制御部に送信される。このように、ＷＤＭ光伝送システム１００においては、インバンド／アウトバンド経由でクラスＡ設定から末端のクラスＤ設定のＷＤＭ装置までを遠隔監視制御することができる。
【先行技術文献】
【特許文献】
【００１０】
【特許文献１】特開２０１０−３５０８９号公報
【発明の概要】
【発明が解決しようとする課題】
【００１１】
しかしながら、図１に示すＷＤＭ光伝送システム１００においては、例えば第３ＷＤＭ装置１０２Ｃと第４ＷＤＭ装置１０２Ｄとの間の伝送路において障害Ｆ１が発生した場合、インバンド経由で第４ＷＤＭ装置１０２Ｄを監視制御することはできない。また、第４ＷＤＭ装置１０２ＤはクラスＤ設定であるため、アウトバンドは閉口している。従って、インバンド/アウトバンドにて第４ＷＤＭ装置１０２Ｄを監視制御することができない。そのため、第４ＷＤＭ装置１０２Ｄ内の正常な回線へインバンド回線を切替えるには、第４ＷＤＭ装置１０２Ｄの制御部１０６Ｄにコンソールにてログインし、インバンド/アウトバンドクラスの設定変更や装置制御を行う必要があった。仮に第４ＷＤＭ装置１０２Ｄがユーザ側に設置されていたとすると、ネットワーク保守者が装置を設置しているユーザの通信室へ入りインバンド/アウトバンドクラスの設定変更や装置制御を行うこととなり、手間がかかる。
【００１２】
また、図１に示すように、インバンド通信を行っていた第２ＷＤＭ装置１０２Ｂの光インタフェース装置１０４Ｂで伝送路障害Ｆ２が発生した場合、第２ＷＤＭ装置１０２Ｂ内の正常な他の光インタフェース装置１０４Ｂへアウトバンド経由でインバンド回線の切替えを行うこととなる。この場合、オペレーションセンターにいるネットワーク保守者が、手動でコンソールによりインバンド回線の切替えを行う必要があり、手間がかかる。
【００１３】
本発明はこうした状況に鑑みてなされたものであり、その目的は、保守性を向上した光伝送システムを提供することにある。
【課題を解決するための手段】
【００１４】
上記課題を解決するために、本発明のある態様の光伝送システムは、光伝送路により接続された複数のＷＤＭ装置を備え、インバンド通信により各ＷＤＭ装置を監視制御可能な光伝送システムである。各ＷＤＭ装置は、光信号を送受信可能に構成され、回線に障害が発生した場合に警報を発出する複数の光インタフェース装置と、インバンド通信を行うよう設定された光インタフェース装置から発出された警報の検知をトリガとして、インバンド通信を行う回線をＷＤＭ装置内の他の光インタフェース装置に切り替える制御部とを備える。
【００１５】
この態様によると、インバンド回線に障害が発生した場合に、ＷＤＭ装置内の他の光インタフェース装置にインバンド回線を切り替えることができる。これにより、ネットワーク保守者が手動でインバンド回線の切り替えを行う手間が低減されるので、光伝送システムの保守性を向上できる。
【００１６】
制御部は、インバンド通信を行うよう設定された光インタフェース装置から１０ギガビットイーサネット（登録商標）のリンク障害通知機能によるローカルフォルトが生成および送出されたのをトリガとして、光インタフェース装置の切り替えを行ってもよい。
【００１７】
制御部は、インバンド通信を行うよう設定された光インタフェース装置からＬＯＳ警報、ＬＯＦ警報およびＳＦ警報のうち少なくとも１つの警報が発出されたのをトリガとして、光インタフェース装置の切り替えを行ってもよい。
【００１８】
各ＷＤＭ装置は、インバンド通信に加えてアウトバンド通信より監視制御可能に構成されており、制御部は、光インタフェース装置の切り替えではインバンド通信を復旧できないことが検知された場合、インバンド/アウトバンドクラスの設定変更を行ってもよい。
【００１９】
制御部は、光インタフェース装置の切り替えではインバンド通信を復旧できないことが検知された場合、アウトバンド通信でＷＤＭ装置を監視制御可能なクラスに設定変更を行ってもよい。
【００２０】
なお、以上の構成要素の任意の組合せ、本発明の表現を装置、方法、システム、プログラム、プログラムを格納した記録媒体などの間で変換したものもまた、本発明の態様として有効である。
【発明の効果】
【００２１】
本発明によれば、保守性を向上した光伝送システムを提供できる。
【図面の簡単な説明】
【００２２】
【図１】従来のＷＤＭ光伝送システムにおける遠隔監視制御の一例を説明するための図である。
【図２】本発明の実施形態に係るＷＤＭ光伝送システムの構成を示す図である。
【図３】障害発生時におけるインバンド回線の切り替えを説明するための図である。
【図４】ローカルフォルトの生成および送信について説明するための図である。
【図５】障害発生時におけるインバンド回線の切り替えを説明するための図である。
【図６】クラスＡ〜クラスＤのＷＤＭ装置におけるインバンド回線の切替およびインバンド／アウトバンドクラスの設定変更をまとめた図である。
【図７】本発明の別の実施形態に係るＷＤＭ光伝送システムを説明するための図である。
【図８】本発明の別の実施形態に係るＷＤＭ光伝送システムを説明するための図である。
【図９】クラスＡ〜クラスＤのＷＤＭ装置におけるインバンド回線の切替およびインバンド／アウトバンドクラスの設定変更をまとめた図である。
【発明を実施するための形態】
【００２３】
図２は、本発明の実施形態に係るＷＤＭ光伝送システムの構成を示す図である。図２に示すＷＤＭ光伝送システム１０においては、第１ＷＤＭ装置１２Ａ、第２ＷＤＭ装置１２Ｂ、第３ＷＤＭ装置１２Ｃ、第４ＷＤＭ装置１２Ｄの４つのＷＤＭ装置が４段タンデム接続されている。本実施形態において、第１ＷＤＭ装置１２Ａ〜第４ＷＤＭ装置１２Ｄは、１０ギガビットイーサネットのＷＤＭ装置である。ＷＤＭ光伝送システム１０においては、これら４つのＷＤＭ装置により第１イーサネット網１１Ａと第２イーサネット網１１Ｂとが接続されており、１０ギガビット・イーサネットの光通信ネットワークが構成されている。
【００２４】
図２に示すように、第１〜第４ＷＤＭ装置１２Ａ〜１２Ｄは、複数の１０Ｇｂｐｓの光インタフェース装置（１０Ｇ−ＩＦ）１４Ａ〜１４Ｄと、波長多重分割部１５Ａ〜１５Ｄと、装置各部の制御を行う制御部１６Ａ〜１６Ｂとを備える。各光インタフェース装置は、光信号を送受信可能に構成され、回線に障害が発生した場合に警報を発出する機能を有する。この警報は、ＬＯＳ（Loss of Signal）警報、ＬＯＦ（Loss of Frame）警報、ＳＦ（Short Frame）警報を含む。また、第１イーサネット網１１Ａは複数の終端装置１３Ａを備え、第２イーサネット網１１Ｂは、複数の終端装置１３Ｂを備える。
【００２５】
図２に示すように、第１イーサネット網１１Ａと第１ＷＤＭ装置１２Ａは、複数の光伝送路１７Ａにより接続されている。光伝送路１７Ａは、対向する第１イーサネット網１１Ａの終端装置１３Ａと、光インタフェース装置１４Ａの一方の入出力ポートとを接続している。また、光インタフェース装置１４Ａの他方の入出力ポートは、波長多重分割部１５Ａを介してＷＤＭ伝送路１７Ｂに接続されている。また、第１ＷＤＭ装置１２Ａの制御部１６Ａは、アウトバンド回線１９を介してオペレーションセンター２０のＳＮＭＰマネージャ２１に接続されている。
【００２６】
ＷＤＭ伝送路１７Ｂは、第２ＷＤＭ装置１２Ｂの波長多重分割部１５Ｂに接続されており、波長多重分割部１５Ｂの後段には、光インタフェース装置１４Ｂの一方の入出力ポートが接続されている。光インタフェース装置１４Ｂの他方の入出力ポートは、光伝送路１７Ｃにより、対向する光インタフェース装置１４Ｃの一方の入出力ポートに接続されている。また、第２ＷＤＭ装置１２Ｂの制御部１６Ｂと第３ＷＤＭ装置１２Ｃの制御部１６Ｃは、アウトバンド回線１８により接続されている。光インタフェース装置１４Ｃの他方の入出力ポートは、波長多重分割部１５Ｃを介してＷＤＭ伝送路１７Ｄに接続されている。
【００２７】
ＷＤＭ伝送路１７Ｄは、第４ＷＤＭ装置１２Ｄの波長多重分割部１５Ｄに接続されており、波長多重分割部１５Ｄの後段には、光インタフェース装置１４Ｄの一方の入出力ポートが接続されている。光インタフェース装置１４Ｄの他方の入出力ポートは、光伝送路１７Ｅにより、対向する第２イーサネット網１１Ｂの終端装置１３Ｂに接続されている。
【００２８】
本実施形態において、第１ＷＤＭ装置１２Ａは、クラスＡに設定されており、アウトバンドは開口され、インバンドは１つの光インタフェース装置１４Ａのみ開口されている。また、第２ＷＤＭ装置１２Ｂは、クラスＢに設定されており、アウトバンドは開口され、インバンドは１つの光インタフェース装置１４Ｂのみ開口されている。また、第３ＷＤＭ装置１２Ｃは、クラスＣに設定されており、アウトバンドは開口され、インバンドは１つの光インタフェース装置１４Ｃのみ開口されている。また、第４ＷＤＭ装置１２Ｄは、クラスＤに設定されており、アウトバンドは閉口され、全ての光インタフェース装置１４Ｄでインバンドは開口されている。各クラスの定義については上述した通りである。
【００２９】
図２には、オペレーションセンター２０のＳＮＭＰマネージャ２１から送信された監視制御信号の経路が、破線で図示されている。この監視制御信号は、アウトバンド回線とインバンド回線を経由して、第１ＷＤＭ装置１２Ａ〜第４ＷＤＭ装置１２Ｄの制御部１６Ａ〜１６Ｄに送信される。このように、ＷＤＭ光伝送システム１０においては、インバンド通信とアウトバンド通信とにより、クラスＡ設定の第１ＷＤＭ装置１２ＡからクラスＤ設定の末端の第４ＷＤＭ装置１２Ｄまでを遠隔監視制御することができる。
【００３０】
図３は、障害発生時におけるインバンド回線の切り替えを説明するための図である。図３には、第３ＷＤＭ装置１２Ｃおよび第４ＷＤＭ装置１２Ｄが図示されている。図３に示すように、第３ＷＤＭ装置１２Ｃは、第１光インタフェース装置１４Ｃ−１〜第４光インタフェース装置１４Ｃ−４と、波長多重分割部１５Ｃと、制御部１６Ｃとを備える。第４ＷＤＭ装置１２Ｄは、第１光インタフェース装置１４Ｄ−１〜第４光インタフェース装置１４Ｄ−４と、波長多重分割部１５Ｄと、制御部１６Ｄとを備える。第１光インタフェース装置１４Ｃ−１〜第４光インタフェース装置１４Ｃ−４は、対向する第２ＷＤＭ装置１２Ｂの光インタフェース装置（図示せず）と接続されている。また、第１光インタフェース装置１４Ｄ−１〜第４光インタフェース装置１４Ｄ−４は、対向する第２イーサネット網１１Ｂの第１終端装置１３Ｂ−１〜第４終端装置１３Ｂ−４と接続されている。
【００３１】
本実施形態では、第３ＷＤＭ装置１２Ｃの第１光インタフェース装置１４Ｃ−１と、第４ＷＤＭ装置１２Ｄの第１光インタフェース装置１４Ｄ−１とが、通常運用時にインバンド通信を行う光インタフェース装置に設定されている。図３には、通常運用時における監視制御信号の経路が太線で図示されている。アウトバンド経由で第２ＷＤＭ装置（図示せず）から送信された監視制御信号は、第３ＷＤＭ装置１２Ｃの制御部１６Ｃに受信された後、第１光インタフェース装置１４Ｃ−１によりインバンド経由で送信される。この監視制御信号は、波長多重分割部１５Ｃを介してＷＤＭ伝送路１７Ｄに送信される。ＷＤＭ伝送路１７Ｄを伝送された監視制御信号は、第４ＷＤＭ装置１２Ｄの波長多重分割部１５Ｄを介して第１光インタフェース装置１４Ｄ−１に入力される。その後、監視制御信号は、第１光インタフェース装置１４Ｄ−１から出力され、制御部１６Ｄに受信される。
【００３２】
ここで、図３に示すように、第１光インタフェース装置１４Ｄ−１から波長多重分割部１５Ｄへ光信号が送信される伝送路、または波長多重分割部１５Ｃから第１光インタフェース装置１４Ｃ−１へ光信号が送信される伝送路において、障害（例えば回線断）Ｆ３が発生したとする。この場合、光インタフェース装置１４Ｃ−１は、ＬＯＳ警報、ＬＯＦ警報、ＳＦ警報のうち少なくとも１つを発出する。このとき、１０ギガビットイーサネットの有するリンク障害通知（ＬＦＳ：Link Fault Signaling）機能により、第１光インタフェース装置１４Ｃ−１の終端部１９Ｃ−１は、ローカルフォルト（ＬＦ：Local Fault）を生成および送信する。
【００３３】
図４は、ローカルフォルトの生成および送信について説明するための図である。図４は、光インタフェース装置１４の構成を示している。図４に示すように、光インタフェース装置１４は、ネットワーク（ＮＴＷＫ）側の終端部４０と、主信号処理部４１と、クライアント（ＣＬＮＴ）側の終端部４２と、監視・制御部４３とを備える。ネットワーク側終端部４０は、物理層終端部４４と、ＭＡＣ終端部４５とを備える。クライアント側終端部４２は、ＭＡＣ終端部４６と、物理層終端部４７とを備える。クライアント側終端部４２は、イーサネット網の終端装置と接続する側の終端部であり、ネットワーク側終端部４０は、対向するＷＤＭ装置とＷＤＭ伝送路を介して接続する側の終端部である。また、監視・制御部４３は、各部を制御するものである。
【００３４】
ネットワーク側終端部４０、クライアント側終端部４２の物理層終端部４４，４７は、ネットワーク側、クライアント側の送受信処理を行い、ＭＡＣ終端部４５，４６は、ローカルフォルトの生成機能を有する。監視・制御部４３は、受信検出結果に従って制御処理を行う。例えば、クライアント側の物理層終端部４７がＬＯＳ／ＬＯＦ／ＳＦのいずれかの検出を監視・制御部４３に通知すると、監視・制御部４３は、ネットワーク側終端部４０のＭＡＣ終端部４５に通知して、ローカルフォルトの生成と送出とを指示する。それにより、ＭＡＣ終端部４５は、ローカルフォルトを生成し、第２ＷＤＭ装置に向かって送出する。
【００３５】
本実施形態においては、ローカルフォルトの生成および送信をトリガとして、装置内の正常な他の光インタフェース装置にインバンド通信を行う回線が切り替えられる。以下、このインバンド回線の切り替えについて詳細に説明する。
【００３６】
図３において、障害Ｆ３が発生した場合、第３ＷＤＭ装置１２Ｃの第１光インタフェース装置１４Ｃ−１の終端部１９Ｃ−１において、ローカルフォルトが生成及び送出される。第３ＷＤＭ装置１２Ｃの制御部１６Ｃは、ローカルフォルトの生成および送信をトリガに、インバンド回線のポートを第１光インタフェース装置１４Ｃ−１から第２光インタフェース装置１４Ｃ−２に変更する。なお、本実施形態において、インバンド回線の切り替えは、若番の光インタフェース装置から行うものとするが、この順番は特に限定されない。
【００３７】
また、第１光インタフェース装置１４Ｃ−１は、ローカルフォルトの生成および送信をトリガに、オーバヘッドの空きビットを使用して第４ＷＤＭ装置１２Ｄの第１光インタフェース装置１４Ｄ−１に対して障害のバック警報を送信する。バック警報は、ITU-T G.709(RS FEC)ではＢＤＩ（Backward Defect Indication）警報がある。第４ＷＤＭ装置１２Ｄの制御部１６Ｄは、このバック警報の受信をトリガに、インバンド回線のポートを第１光インタフェース装置１４Ｄ−１から第２光インタフェース装置１４Ｄ−２に変更する。図３には、切り替え後のインバンド回線が破線で図示されている。本実施形態においては、このようにしてインバンド回線を切り替えることができる。
【００３８】
また、本実施形態においては、光インタフェース装置の切り替えではインバンド通信を復旧できないことが検知された場合、インバンド/アウトバンドクラスの設定変更が行われる。例えば、アウトバンド通信でＷＤＭ装置を監視制御可能なクラス（例えばクラスＡ）への設定変更が行われる。以下、このインバンド/アウトバンドクラスの設定変更について詳細に説明する。
【００３９】
例えば、第３ＷＤＭ装置１２Ｃの全ての光インタフェース装置でローカルフォルトが生成および送信された場合、あるいは、第４ＷＤＭ装置１２Ｄから第３ＷＤＭ装置１２ＣにＷＤＭ信号が送信される伝送路にて障害（例えば回線断）Ｆ４が発生して、第３ＷＤＭ装置１２Ｃの全ての光インタフェース装置でＬＯＳ等の回線断警報が発出される場合、第３ＷＤＭ装置１２Ｃの全ての光インタフェース装置から、オーバヘッドの空きビットを使用してバック警報が送信される。このような場合、光インタフェース装置の切り替えではインバンド通信を復旧することができない。この場合、第４ＷＤＭ装置１２Ｄの制御部１６Ｄは、第３ＷＤＭ装置１２Ｃの全ての光インタフェース装置からのバック警報を、インバンド／アウトバンドクラスの設定変更要求とし、第４ＷＤＭ装置１２Ｄのクラス設定をクラスＤから例えばクラスＡに変更する。これにより、第４ＷＤＭ装置１２Ｄをアウトバンド経由で遠隔制御できるようになる。例えば、ＬＡＮや、ＡＤＳＬやＩＳＤＮ等の電話回線を用いて、第４ＷＤＭ装置１２Ｄを遠隔制御することが可能となる。
【００４０】
図５もまた、障害発生時におけるインバンド回線の切り替えを説明するための図である。図５では、第１光インタフェース装置１４Ｃ−１から波長多重分割部１５Ｃへ光信号が送信される伝送路、または波長多重分割部１５Ｄから第１光インタフェース装置１４Ｄ−１へ光信号が送信される伝送路において、障害（例えば回線断）Ｆ５が発生した場合について説明する。この場合、光インタフェース装置１４Ｄ−１は、ＬＯＳ警報、ＬＯＦ警報、ＳＦ警報のうち少なくとも１つを発出する。このとき、第１光インタフェース装置１４Ｄ−１の終端部１９Ｄ−１は、ローカルフォルトを生成し、終端装置１３Ｂ−１に向かって送出する。
【００４１】
第４ＷＤＭ装置１２Ｄの制御部１６Ｄは、ローカルフォルトの生成および送信をトリガに、インバンド回線のポートを第１光インタフェース装置１４Ｄ−１から第２光インタフェース装置１４Ｄ−２に変更する。
【００４２】
また、第１光インタフェース装置１４Ｄ−１は、ローカルフォルトの生成および送信をトリガに、オーバヘッドの空きビットを使用して第３ＷＤＭ装置１２Ｃの第１光インタフェース装置１４Ｃ−１に対して障害のバック警報を送信する。第３ＷＤＭ装置１２Ｃの制御部１６Ｃは、このバック警報の受信をトリガに、インバンド回線のポートを第１光インタフェース装置１４Ｃ−１から第２光インタフェース装置１４Ｃ−２に変更する。図５には、切り替え後のインバンド回線が破線で図示されている。
【００４３】
また、第４ＷＤＭ装置１２Ｄの全ての光インタフェース装置でローカルフォルトが生成および送信された場合、あるいは、第３ＷＤＭ装置１２Ｃから第４ＷＤＭ装置１２ＤへＷＤＭ信号が送信される伝送路にて障害（例えば回線断）Ｆ６が発生して、第４ＷＤＭ装置１２Ｄの全ての光インタフェース装置でＬＯＳ警報などの警報が発出された場合、第４ＷＤＭ装置１２Ｄの制御部１６Ｄは、これらの回線断警報をインバンド／アウトバンドクラスの設定変更要求とし、第４ＷＤＭ装置１２Ｄのクラス設定をクラスＤから例えばクラスＡに変更する。これにより、第４ＷＤＭ装置１２Ｄをアウトバンド経由で遠隔制御できるようになる。
【００４４】
図３〜図５においては、第３ＷＤＭ装置１２Ｃおよび第４ＷＤＭ装置１２Ｄについて説明したが、上述したインバンド回線の切り替えおよびインバンド／アウトバンドクラスの設定変更は、図２の第１ＷＤＭ装置１２Ａや第２ＷＤＭ装置１２Ｂにも適用できる。
【００４５】
図６は、クラスＡ〜クラスＤのＷＤＭ装置におけるインバンド回線の切替およびインバンド／アウトバンドクラスの設定変更をまとめた図である。図６において、「シングルＬＦ生成＋送信」は、１つの光インタフェース装置においてローカルフォルトが生成および送信されたことを表し、「フルＬＦ生成＋送信」は、全ての光インタフェース装置においてローカルフォルトが生成および送信されたことを表す。
【００４６】
以上説明したように、本実施形態に係るＷＤＭ光伝送システム１０によれば、インバンド通信を行うよう設定された光インタフェース装置からローカルフォルトが生成および送信されたのをトリガとして、インバンド回線を正常な他の光インタフェース装置に切り替えるよう構成した。これにより、ネットワーク保守者が手動でインバンド回線の切り替えを行う手間が低減されるので、ネットワーク保守者の作業を軽減でき、光伝送システムの保守性を向上できる。
【００４７】
また、本実施形態に係るＷＤＭ光伝送システム１０によれば、光インタフェース装置の切り替えではインバンド通信を復旧することができない場合に、インバンド/アウトバンドクラスの設定変更を行うよう構成した。これにより、ＷＤＭ装置をアウトバンド経由で遠隔制御できるようになるので、光伝送システムの保守性を向上できる。
【００４８】
次に、本発明の別の実施形態に係るＷＤＭ光伝送システムついて説明する。本実施形態に係る光伝送システムは、は、ギガビットイーサネット（登録商標）のＷＤＭ光伝送システムである。ギガビットイーサネットでは、１０ギガビットイーサネットのようなローカルフォルトはサポートされていない。そこで、本実施形態において、各ＷＤＭ装置は、ＬＯＳ警報、ＬＯＦ警報およびＳＦ警報のうち少なくとも１つの警報が発出されたのをトリガとして、光インタフェース装置の切り替えを行う。
【００４９】
図７は、本発明の別の実施形態に係るＷＤＭ光伝送システムを説明するための図である。本実施形態に係るＷＤＭ光伝送システム２００は、基本的に、図２に示すＷＤＭ光伝送システム１０と同様の構成を要する。本実施形態に係るＷＤＭ光伝送システム２００は、第１〜第４ＷＤＭ装置がギガビットイーサネットのＷＤＭ装置である点が図２に示すＷＤＭ光伝送システム１０と異なる。図７には、ＷＤＭ光伝送システム２００におけるクラスＣとクラスＤのＷＤＭ装置である第３ＷＤＭ装置１２Ｃおよび第４ＷＤＭ装置１２Ｄが図示されている。
【００５０】
図７に示すように、第１光インタフェース装置１４Ｄ−１から波長多重分割部１５Ｄへ光信号が送信される伝送路、または波長多重分割部１５Ｃから第１光インタフェース装置１４Ｃ−１へ光信号が送信される伝送路において、障害（例えば回線断）Ｆ３が発生したとする。この場合、光インタフェース装置１４Ｃ−１は、ＬＯＳ警報、ＬＯＦ警報、ＳＦ警報のうち少なくとも１つを発出する。
【００５１】
第３ＷＤＭ装置１２Ｃの制御部１６Ｃは、ＬＯＳ警報、ＬＯＦ警報、ＳＦ警報のうち少なくとも１つが発出されたのをトリガとして、インバンド回線のポートを第１光インタフェース装置１４Ｃ−１から第２光インタフェース装置１４Ｃ−２に変更する。なお、本実施形態においても、インバンド回線の切り替えは、若番の光インタフェース装置から行うものとするが、この順番は特に限定されない。
【００５２】
また、第１光インタフェース装置１４Ｃ−１は、ＬＯＳ警報、ＬＯＦ警報、ＳＦ警報のうち少なくとも１つの発出をトリガに、オーバヘッドの空きビットを使用して第４ＷＤＭ装置１２Ｄの第１光インタフェース装置１４Ｄ−１に対して障害のバック警報を送信する。バック警報は、ＳＤＨではＲＤＩ（Remote Defect Indication）警報がある。
【００５３】
第４ＷＤＭ装置１２Ｄの制御部１６Ｄは、このバック警報の受信をトリガに、インバンド回線のポートを第１光インタフェース装置１４Ｄ−１から第２光インタフェース装置１４Ｄ−２に変更する。図７には、切り替え後のインバンド回線が破線で図示されている。本実施形態においては、このようにしてインバンド回線を切り替えることができる。
【００５４】
また、本実施形態においても、光インタフェース装置の切り替えではインバンド通信を復旧できないことが検知された場合、インバンド/アウトバンドクラスの設定変更が行われる。例えば、アウトバンド通信でＷＤＭ装置を監視制御可能なクラス（例えばクラスＡ）への設定変更が行われる。以下、このインバンド/アウトバンドクラスの設定変更について詳細に説明する。
【００５５】
例えば、第３ＷＤＭ装置１２Ｃの全ての光インタフェース装置でＬＯＳ警報、ＬＯＦ警報、ＳＦ警報のうち少なくとも１つが発出された場合、あるいは、第４ＷＤＭ装置１２Ｄから第３ＷＤＭ装置１２ＣにＷＤＭ信号が送信される伝送路にて障害（例えば回線断）Ｆ４が発生して、第３ＷＤＭ装置１２Ｃの全ての光インタフェース装置で回線断警報が発出された場合、第３ＷＤＭ装置１２Ｃの全ての光インタフェース装置から、第４ＷＤＭ装置１２Ｄの光インタフェース装置に対してＬＯＳ警報、ＬＯＦ警報、ＳＦ警報のバック警報が送信される。このような場合、光インタフェース装置の切り替えではインバンド通信を復旧することができない。この場合、第４ＷＤＭ装置１２Ｄの制御部１６Ｄは、第３ＷＤＭ装置１２Ｃの全ての光インタフェース装置からのバック警報を、インバンド／アウトバンドクラスの設定変更要求とし、第４ＷＤＭ装置１２Ｄのクラス設定をクラスＤから例えばクラスＡに変更する。これにより、第４ＷＤＭ装置１２Ｄをアウトバンド経由で遠隔制御できるようになる。
【００５６】
図８もまた、本実施形態に係るＷＤＭ光伝送システムを説明するための図である。図８では、第１光インタフェース装置１４Ｃ−１から波長多重分割部１５Ｃへ光信号が送信される伝送路、または波長多重分割部１５Ｄから第１光インタフェース装置１４Ｄ−１へ光信号が送信される伝送路において、障害（例えば回線断）Ｆ５が発生した場合について説明する。この場合、光インタフェース装置１４Ｄ−１は、ＬＯＳ警報、ＬＯＦ警報、ＳＦ警報のうち少なくとも１つを発出する。
【００５７】
第４ＷＤＭ装置１２Ｄの制御部１６Ｄは、ＬＯＳ警報、ＬＯＦ警報、ＳＦ警報のうち少なくとも１つが発出されたのをトリガとして、インバンド回線のポートを第１光インタフェース装置１４Ｄ−１から第２光インタフェース装置１４Ｄ−２に変更する。
【００５８】
また、第１光インタフェース装置１４Ｄ−１は、ＬＯＳ警報、ＬＯＦ警報、ＳＦ警報のうち少なくとも１つが発出されたのをトリガに、オーバヘッドの空きビットを使用して第３ＷＤＭ装置１２Ｃの第１光インタフェース装置１４Ｃ−１に対してバック警報を送信する。第３ＷＤＭ装置１２Ｃの制御部１６Ｃは、このバック警報の受信をトリガに、インバンド回線のポートを第１光インタフェース装置１４Ｃ−１から第２光インタフェース装置１４Ｃ−２に変更する。図８には、切り替え後のインバンド回線が破線で図示されている。
【００５９】
また、第４ＷＤＭ装置１２Ｄの全ての光インタフェース装置でＬＯＳ警報、ＬＯＦ警報、ＳＦ警報のうち少なくとも１つが発出された場合、あるいは、第３ＷＤＭ装置１２Ｃから第４ＷＤＭ装置１２ＤへＷＤＭ信号が送信される伝送路にて障害（例えば回線断）Ｆ６が発生して、第４ＷＤＭ装置１２Ｄの全ての光インタフェース装置でＬＯＳ等の警報が発出された場合、第４ＷＤＭ装置１２Ｄの制御部１６Ｄは、これらの回線断警報をインバンド／アウトバンドクラスの設定変更要求とし、第４ＷＤＭ装置１２Ｄのクラス設定をクラスＤから例えばクラスＡに変更する。これにより、第４ＷＤＭ装置１２Ｄをアウトバンド経由で遠隔制御できるようになる。
【００６０】
図７および図８においては、クラスＣ設定の第３ＷＤＭ装置１２ＣおよびクラスＤ設定の第４ＷＤＭ装置１２Ｄについて説明したが、上述したインバンド回線の切り替えおよびインバンド／アウトバンドクラスの設定変更は、クラスＡ設定の第１ＷＤＭ装置やクラスＢ設定の第２ＷＤＭ装置にも適用できる。
【００６１】
図９は、クラスＡ〜クラスＤのＷＤＭ装置におけるインバンド回線の切替およびインバンド／アウトバンドクラスの設定変更をまとめた図である。図９において、「シングルＬＯＳ／ＬＯＦ／ＳＦ検出」は、１つの光インタフェース装置においてＬＯＳ警報、ＬＯＦ警報、ＳＦ警報のうち少なくとも１つが検出されたことを表す。また、「フルＬＯＳ／ＬＯＦ／ＳＦ検出」は、全ての光インタフェース装置においてＬＯＳ警報、ＬＯＦ警報、ＳＦ警報のうち少なくとも１つが検出されたことを表す。
【００６２】
以上説明したように、本実施形態に係るＷＤＭ光伝送システム２００によれば、インバンド通信を行うよう設定された光インタフェース装置からＬＯＳ警報、ＬＯＦ警報、ＳＦ警報のうち少なくとも１つが発出されたのをトリガとして、インバンド回線を正常な他の光インタフェース装置に切り替えるよう構成した。これにより、ネットワーク保守者が手動でインバンド回線の切り替えを行う手間が低減されるので、ネットワーク保守者の作業を軽減でき、光伝送システムの保守性を向上できる。
【００６３】
また、本実施形態に係るＷＤＭ光伝送システム２００によれば、光インタフェース装置の切り替えではインバンド通信を復旧することができない場合に、インバンド/アウトバンドクラスの設定変更を行うよう構成した。これにより、ＷＤＭ装置をアウトバンド経由で遠隔制御できるようになるので、光伝送システムの保守性を向上できる。
【００６４】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００６５】
例えば、上述の実施形態では、ＷＤＭ装置が４段タンデム接続された光伝送システムを説明したが、光伝送システムの構成はこれに限定されない。
【符号の説明】
【００６６】
１０、２００  ＷＤＭ光伝送システム、  １１Ａ  第１イーサネット網、  １１Ｂ  第２イーサネット網、  １２Ａ  第１ＷＤＭ装置、  １２Ｂ  第２ＷＤＭ装置、  １２Ｃ  第３ＷＤＭ装置、  １２Ｄ  第４ＷＤＭ装置、  １３Ａ、１３Ｂ  終端装置、  １４、１４Ａ、１４Ｂ、１４Ｃ、１４Ｄ  光インタフェース装置、  １５Ａ、１５Ｂ、１５Ｃ、１５Ｄ  波長多重分割部、  ４０  ネットワーク側終端部、  ４２  クライアント側終端部、  ４５  ＭＡＣ終端部。
【図１】
2012004628.tif 000003
【図２】
2012004628.tif 000004
【図３】
2012004628.tif 000005
【図４】
2012004628.tif 000006
【図５】
2012004628.tif 000007
【図６】
2012004628.tif 000008
【図７】
2012004628.tif 000009
【図８】
2012004628.tif 000010
【図９】
2012004628.tif 000011